(57)【要約】      （修正有）【課題】前立てのボタンの掛け間違いが無く、且つ胸元のしまりも良くキチンとした着こなしになる上着を提供する。【解決手段】前身頃１５に両開き前立て１８、１９を有する上着において、前立ての上方から下方に向けて配置する複数個のボタン２１〜２７及びボタン穴３１〜３７は、配置間隔距離を、上方を短く下方に向けて徐々に広くした。【選択図】図１−１
0003229801.tif 000002
【実用新案登録請求の範囲】
【請求項１】
前身頃に両開き前立てを有する上着において、前記前立ての上方から下方に向けて配置する複数個のボタン及びボタン穴は、配置間隔距離を、上方を短く下方に向けて徐々に広くしたことを特徴とする上着。
【考案の詳細な説明】
【技術分野】
【０００１】  本考案は、カッターシャツ（：ワイシャツとも言う）や一般のアンダーウエアーシャツ、ジャンパー等の前開きの両前身頃を有する上着に関する。
【背景技術】
【０００２】  上着として例えばカッターシャツを例に詳説する。
カッターシャツは主に白や淡色で男性の背広の下に着用し、図２の（１）と（２）に示すカッターシャツＣＳ１のように、主に白や淡色で男性の背広の下に着用するものであり、前開きの前身頃１０１と後見頃１０２に衿１０３と両袖１０４，１０５を取り付け、前身頃１０１の図に向かって左側の見立て１０６にボタン１０７を付け、右側の見立て１０８にボタン穴１０９を設け、両袖の１０４，１０５のカフス（：袖口）１１１，１１２にボタン１１３，１１４を付けて着用するスタイルである。
一般的な着用スタイルとしては、ネクタイを着用するのが一般的だが、ビジネスの現場においてオープンカラーでの着こなしも一般的になってきている。
また、カフスはボタンで留めるだけでなく、カフスボタンを使用して留めることも可能なコンバーチブルタイプのカフスを選ぶとカッターシャツを華やかに演出することができる。【０００３】  前記カフスは、カッターシャツやブラウスなどのシャツ、ジャケットやジャンパー、外套などの上着、カーディガンなどトップス全般、上下一体のものでもワンピースなどで、腕を通す袖の端を言う。長袖では手首が出る部分であり袖口とも言いう。
英語のｃｕｆｆ（複数形：ｃｕｆｆｓ）がそのまま片仮名で「カフ」、「カフス」として使われるが、日本ではこれらはカッターシャツの袖口を指すことが多い。袖と同じまま端を単に折り返して縫い、ほつれ止めしただけのものもあれば、長袖で、装飾や補強のために別に設えて縫い付けられたものもある。また、単に筒状ではなく、手首よりも大きな掌部分を通しやすいよう、また体温調節や汚れ防止のために捲り上げやすいよう、裁ち開かれてスリット状になっているものがある。そこを留めるためにはボタンやカフリンクス、スナップ、ファスナー、面ファスナーなどが用いられる。
【考案の概要】
【考案が解決しようとする課題】
【０００４】  而して、前記カッターシャツは、図２（１）ト（２）に示すように、前身頃１０１の一方の前立て１０６において、その上方から下方に向けて複数個のボタン１０７を配置し、他方の前立て１０８において、その対応のボタン穴１０８を配置してある。この複数個のボタン１０７とボタン穴１０８は配置間隔は、全て同一縦幅間隔ｈ０で配置している。【０００５】  このカッターシャツを着るときのボタン１０７を対応ボタン穴１０９に掛ける順序は、最下方部のボタン１０７からその対応ボタン穴１０９に順に掛けていくのが一般的である。
しかしながらカッターシャツを着るときで、急いでいる時等はボタン１０７とボタン穴１０８の配置間隔は、全て同一縦幅間隔ｈ０で配置しているため、最下方部のボタン１０７をその対応のボタン穴１０９とは相違するボタン穴に掛け間違うことが多く、掛け直すことが頻繁に生じる。【０００６】  また特に上方部のボタン間隔は下方部のボタン間隔に合わせて広いため、特に胸元のしまりが良くなくだらしなく見える。
本考案は、前立てのボタンの掛け間違いが無く、且つ胸元のしまりも良くキチンとした着こなしになる前記上着を提供する。
【課題を解決するための手段】
【０００７】  上記課題を満足させる本考案における主な技術構成は、次の（１）の通りである。
（１）、前身頃に両開き前立てを有する上着において、前記前立ての上方から下方に向けて配置する複数個のボタン及びボタン穴は、配置間隔距離を、上方を短く下方に向けて徐々に広くしたことを特徴とする上着。
【考案の効果】
【０００８】  本考案の前記構成のカッターシャツは、前立てのボタンの掛け間違いが無く、且つ胸元のしまりも良くキチンと素っきりした着こなしになる優れた作用効果を呈する。
【図面の簡単な説明】
【０００９】
【図１−１】本考案の上着の例のカッターシャツＣＳ２であり、両前立てをオープンにした状態の正面説明図である。
【図１−２】本考案の上着の例のカッターシャツＣＳ２であり、両前立てをボタンで閉めた状態の正面説明図である。
【図２−１】従来の上着の例のカッターシャツＣＳ１であり、両前立てをオープンにした状態の正面説明図である。
【図２−２】従来の上着の例のカッターシャツＣＳ１であり、両前立てをオープンにした状態の正面説明図である。
【考案を実施するための形態】
【００１０】  本考案を実施するための形態を図１−１〜図１−２に示す実施例により詳細に説明する。
図１−１〜図１−２において、上着の本例はカッターシャツＣＳ２である。カッターシャツＣＳ２は、衿１０と両袖１１、１２と両カフス１３、１４をシャツの前身頃１５と後身頃１６に取り付けて着用する白や淡色のシャツである。
前身頃１５にはポケット１７と両開きの前立て１８，１９を形成してある。
一方（向かって左側）の前立て１８にはボタン２１〜２７を上から順に異なる縦幅間隔ｈ１〜ｈ６で配置し、他方（向かって右側）の前立て１９にはボタン２１〜２７に対応した間隔のボタン穴３１〜３８を形成してある。
【００１１】  カッターシャツの前立てにおいて、その上方から下方に向けて配置する複数個のボタン２１〜２７及びボタン穴３１〜３８は、配置間隔距離を、上方を短く下方に向けて徐々に広くしてある。
つまり配置間隔の距離関係はｈ１＜ｈ２＜ｈ３＜ｈ４＜ｈ５＜ｈ６としてある。
これでボタン２１〜２７及びボタン穴３１〜３７は、全て異なる配置間隔距離になっているので、掛け間違いは即刻感知することができ多くのボタンの掛け直しは皆無になる。
また上方部の胸元になるボタン２１〜２４とボタン穴３１〜３４の配置間隔距離ｈ１〜ｈ３を狭くしてあるので胸元のしまりも良くキチンと素っきりした着こなしになる。
また下方部のボタン２５〜２７とボタン穴３５〜３７の配置間隔距離ｈ４〜ｈ６を広くしてあるので最初のボタン掛けが正確容易で早い利点がある。
【産業上の利用可能性】
【００１２】  本考案の上着は、前述の優れた作用効果を呈して一般家庭では勿論、被服産業への寄与と発展に貢献すること多大なものがある。
【符号の説明】
【００１３】ＣＳ２：カッターシャツ
ｈ１〜ｈ６：配置間隔距離
１０：衿
１１、１２：両袖
１３、１４：両カフス
１５：前身頃
１６：後身頃
１７：ポケット
１８，１９：両開きの前立て
２１〜２７：ボタン
３１〜３７：ボタン穴
【図１−１】
0003229801.tif 000003
【図１−２】
0003229801.tif 000004
【図２−１】
0003229801.tif 000005
【図２−２】
0003229801.tif 000006